(57)【要約】【課題】圧力センサを調整するための時間を可変に変更する。【解決手段】電子血圧計は、被測定者の測定部位に装着されるカフと、カフに加える圧力を調整するための圧力調整部１１１と、カフ内のカフ圧を検出するための圧力センサと、圧力調整部により圧力を調整する過程で圧力センサから出力される検出信号を用いて血圧値を算出する算出部１１２と、カフに圧力を加えない無加圧状態における圧力センサの出力を指すゼロ点を圧力センサの０ｍｍＨｇとして初期化または更新するための補正部１１３と、を備え、補正部によりゼロ点を初期化または更新するための補正時間を、血圧測定の時間情報に基づき可変に変更する。【選択図】図４
2012213444.tif 000002
【特許請求の範囲】
【請求項１】
被測定者の測定部位に装着されるカフと、
前記カフに加える圧力を調整するための圧力調整部と、
前記カフ内のカフ圧を検出するための圧力センサと、
前記圧力調整部により圧力を調整する過程で前記圧力センサから出力される検出信号を用いて、血圧値を算出する算出部と、
前記カフに圧力を加えない無加圧状態における前記圧力センサの出力を指すゼロ点を前記圧力センサの０ｍｍＨｇとして初期化または更新するための補正部と、を備え、
前記補正部による前記ゼロ点を初期化または更新するための補正時間を、血圧測定の時間情報に基づき可変に変更する、血圧測定装置。
【請求項２】
前記補正時間を決定する時間決定部を、さらに備え、
前記時間決定部は、
被測定者の血圧測定の時間情報を取得する情報取得部を、含み、
取得する前記時間情報に基づき、前記補正時間を決定する、請求項１に記載の血圧測定装置。
【請求項３】
前記算出部により前記血圧が算出される毎に、算出された血圧値と、測定時間とを関連付けた測定データを格納するための測定データ格納部を、さらに備え、
前記情報取得部は、
前記測定データ格納部の各測定データの測定時間に基づき、前記時間情報を取得する、請求項２に記載の血圧測定装置。
【請求項４】
前記補正時間は、前記ゼロ点の初期化処理を開始する開始時間を含む、請求項３に記載の血圧測定装置。
【請求項５】
前記補正時間は、前記ゼロ点の更新処理を継続して行う時間を含む、請求項３または４に記載の血圧測定装置。
【請求項６】
前記時間決定部は、
前記各測定データの測定時間から、所定間隔で連続して測定される回数を検出し、検出した回数に基づき、前記ゼロ点の更新処理を継続して行う時間を決定する、請求項５に記載の血圧測定装置。
【請求項７】
前記算出部により用いられる前記ゼロ点を格納するためのゼロ点格納部と、
前記圧力調整部によって前記カフに圧力を加えない無加圧状態を設定する手段と、をさらに備え、
前記補正部は、
前記無加圧状態が設定されているときに、前記圧力センサから出力される検出信号に基づき前記ゼロ点を検出するためのゼロ点検出部を、含み、
前記ゼロ点検出部により検出されるゼロ点を用いて、前記ゼロ点検出部のゼロ点を初期化または更新する、請求項１から６のいずれかに記載の血圧測定装置。
【請求項８】
外部の装置と通信するための通信部を、さらに備え、
前記補正時間の情報を、前記通信部を介して受信する、請求項１に記載の血圧測定装置。
【発明の詳細な説明】
【技術分野】
【０００１】
本発明は、血圧測定装置に関し、特に、圧力センサの補正機能を備える血圧測定装置に関する。
【背景技術】
【０００２】
血圧は循環器系疾患を解析する指標の一つであり、血圧に基づいてリスク解析を行うことは、たとえば脳卒中や心不全や心筋梗塞などの心血管系の疾患の予防に有効である。
【０００３】
従来は通院時や健康診断時などの医療機関で測定される血圧（随時血圧）により診断が行われていた。しかしながら近年の研究により、家庭で測定する血圧（家庭血圧）が随時血圧より循環器系疾患の診断に有用であることが判明してきた。それに伴い、家庭で使用する血圧計が普及しており、国内では３０００万台以上が各家庭に存在する。
【０００４】
一般的に血圧計には、大気圧との相対圧を検出する圧力センサが使用される。そのため、血圧計を用いて血圧測定を行う際、まず、使用者が電源を入れると圧力センサの出力を初期化する必要がある。ここで、圧力センサの初期化とは、カフに圧力を加えない無加圧状態、すなわち、大気圧開放状態での圧力センサの出力を０ｍｍＨｇに調整することである。測定開始時に当該調整を実施する血圧計が、たとえば、出願人による特開２０１０−１４２３７０号公報に示される。
【先行技術文献】
【特許文献】
【０００５】
【特許文献１】特開２０１０−１４２３７０号公報
【発明の概要】
【発明が解決しようとする課題】
【０００６】
従来の血圧計によれば、血圧測定のために電源を入れるたびに圧力センサの調整が実施されたので、使用者は圧力センサ調整が完了するまでの期間は待機しなければならず、血圧測定に対しストレスを感じる。そのため、やがて家庭血圧が測定されなくなるおそれがある。
【０００７】
それゆえに、この発明の目的は、圧力センサを調整するための時間を可変に変更することができる血圧測定装置を提供することである。
【課題を解決するための手段】
【０００８】
この発明に係る血圧測定装置は、被測定者の測定部位に装着されるカフと、カフに加える圧力を調整するための圧力調整部と、カフ内のカフ圧を検出するための圧力センサと、圧力調整部により圧力を調整する過程で圧力センサから出力される検出信号を用いて、血圧値を算出する算出部と、カフに圧力を加えない無加圧状態における圧力センサの出力を指すゼロ点を圧力センサの０ｍｍＨｇとして初期化または更新するための補正部と、を備え、補正部によりゼロ点を初期化または更新するための補正時間を、血圧測定の時間情報に基づき可変に変更する。
【発明の効果】
【０００９】
本発明によれば、圧力センサを調整するための時間を可変に変更することができる。
【図面の簡単な説明】
【００１０】
【図１】この発明の実施の形態に係る電子血圧計の外観図である。
【図２】この発明の実施の形態に係る電子血圧計の使用態様と収納態様とを説明する図である。
【図３】この発明の実施の形態に係る電子血圧計のハードウェア構成図である。
【図４】この発明の実施の形態に係る電子血圧計の機能構成図である。
【図５】この発明の実施の形態に係るメモリの内容例を示す図である。
【図６】この発明の実施の形態に係る０ｍｍＨｇ調整を説明する図である。
【図７】この発明の実施の形態に係る０ｍｍＨｇ調整の開始時間を決定するためのフローチャートである。
【図８】この発明の実施の形態に係る０ｍｍＨｇ調整の開始時間を決定するための他のフローチャートである。
【図９】この発明の実施の形態に係る０ｍｍＨｇ調整の保持時間を決定するためのフローチャートである。
【図１０】この発明の実施の形態に係る０ｍｍＨｇ調整の保持時間を決定するための他のフローチャートである。
【図１１】この発明の実施の形態に係る０ｍｍＨｇ調整の開始処理のフローチャートである。
【図１２】この発明の実施の形態に係る血圧測定処理のフローチャートである。
【図１３】この発明の実施の形態に係る０ｍｍＨｇ調整開始時間と保持時間を説明する図である。
【図１４】この発明の実施の形態に係るシステムの構成図である。
【図１５】この発明の実施の形態に係るホストコンピュータの構成図である。
【図１６】この発明の実施の形態に係るシステムにおける処理フローチャートである。
【発明を実施するための形態】
【００１１】
以下、この発明の実施の形態について図面を参照して詳細に説明する。なお、各図中、同一符号は同一または相当部分を指し、その説明は繰返さない。
【００１２】
本実施の形態では、血圧測定装置として、測定部位を上腕とし、カフにより測定部位を加圧するオシロメトリック法で血圧を算出する電子血圧計を説明するが、血圧算出の方法は、オシロメトリック法に限定されず、コロトコフ音を利用した血圧測定方法、および容積振動法に従う血圧測定であってもよい。また、測定部位も上腕に限定されず、手首であってもよい。ここでは、カフの加減圧に利用する流体は空気として説明する。
【００１３】
ここでは、電子血圧計は１個の圧力センサを搭載するが、２個以上の圧力センサを搭載するものであってもよい。
【００１４】
図１に、この発明の実施の形態に係る電子血圧計１の外観を示し、図２に、被測定者による電子血圧計１の使用態様と、電子血圧計１が収納された状態とを示す。
【００１５】
図１を参照して、電子血圧計１は、本体部１０、被測定者の上腕に巻付け可能なカフ２０（後述する）とを備える。カフ２０はエアチューブ３１により本体部１０に着脱自在に装着される。本体部１０は表面に、たとえば液晶などにより構成される表示部４０、使用者（被測定者）により操作されると当該操作に応じた指示を受付ける複数のスイッチを有する操作部（後述の操作部４１に相当する）とを有する。
【００１６】
図１の（Ａ）を参照して、操作部は、電子血圧計１の電源をＯＮまたはＯＦＦを指示するために操作される電源スイッチ４１Ａ、測定開始および停止の指示を受付けるための測定スイッチ４１Ｂ（４１Ｃ）、メモリに格納された血圧データなどの情報をメモリから読出し表示部４０に表示するために操作されるメモリスイッチ４１Ｄ、タイマをセットするために操作されるタイマセットスイッチ４１Ｅ、および電子血圧計１を兼用する各使用者（被測定者）を特定するために操作される使用者選択スイッチ４１Ｆを有する。測定スイッチ４１Ｂ（４１Ｃ）は、測定開始を指示するために操作されるスイッチ４１Ｂの機能と、測定停止を指示するための操作されるスイッチ４１Ｃの機能とを兼ね備える。
【００１７】
図１の（Ａ）の電子血圧計１は、電源スイッチ４１Ａと測定開始のスイッチ４１Ｂとを個別に備えるが、これに代替して、図１の（Ｂ）のように電源スイッチ４１Ａと測定開始のスイッチ４１Ｂとは１個のスイッチで兼用されるようにしてもよい。以降の説明では、図１の（Ａ）で示すように、電源スイッチ４１Ａと測定開始のスイッチ４１Ｂとを個別に備える電子血圧計１を説明するが、図１の（Ｂ）のようにスイッチが兼用される構成であっても同様に適用することができる。
【００１８】
図２の（Ａ）を参照して、血圧測定時には被測定者はカフ２０を上腕部に装着する。未使用時には、図２の（Ｂ）に示すように、電子血圧計１は、カフ２０およびエアチューブ３１が本体部１０から外された状態で収納用袋に収納される。
【００１９】
（電子血圧計の構成）
図３を参照して、電子血圧計１の本体部１０は、表示部４０および操作部４１に加え、各部を集中的に制御し各種の演算処理を行なうためのＣＰＵ（Central Processing Unit）１００、ＣＰＵ１００に所定の動作をさせるためのプログラムおよびデータを格納するための処理用のメモリ４２、測定した血圧データを含む各種データを格納するためのデータ格納用のメモリ４３、本体部１０の各部に電力を供給するための電源部４４、現在時間を計時して計時データをＣＰＵ１００に出力するタイマ４５を含む。
【００２０】
電源部４４はバッテリからなるので、図２の（Ｂ）の収納状態、または測定に使用されていない状態であったとしても、電源部４４から各部に、必要な電力を供給することができる。なお、バッテリに代替して、またはバッテリと兼用して外部の商用電源からケーブルで電力が供給されるようにしてもよい。
【００２１】
本体部１０は、電子血圧計１の外部の装置と無線または有線で通信するための変調・復調機能を有する通信モジュールに相当する通信Ｉ／Ｆ（Interface）６０、カード状の記録媒体であるメモリカード６２が着脱自在に装着されて、装着されたメモリカード６２からデータを読出し、またはメモリカード６２にデータを書込むための外部Ｉ／Ｆ（Interface）６１を備える。なお、外部Ｉ／Ｆ６１に装着される記録媒体はカード状のものに限定されるものではない。
【００２２】
本体部１０は、さらに、カフ２０に内包される空気袋２１の内圧（以下、カフ圧という）を調整する機構として、ポンプ５１、排気弁（以下、弁という）５２を含む。ポンプ５１と弁５２は主に血圧測定時のカフ圧の調整機構として機能する。
【００２３】
本体部１０は、さらに、圧力センサ３２に接続される発振回路３３、ポンプ５１に接続されるポンプ駆動回路５３、および弁５２に接続される弁駆動回路５４を有する。発振回路３３の出力信号はＣＰＵ１００に与えられる。
【００２４】
ポンプ５１は、カフ圧を加圧するために空気袋２１に空気を供給する。弁５２は、空気袋２１の空気を排出しまたは封入するために弁駆動回路５４により開閉される。ポンプ駆動回路５３は、ポンプ５１の駆動をＣＰＵ１００から与えられる制御信号に基づいて制御する。ポンプ５１は、ポンプ駆動回路５３から印加される電圧レベルに従って、単位時間あたり一定流量の空気を送出する。弁駆動回路５４は弁５２の開閉制御をＣＰＵ１００から与えられる制御信号に基づいて行なう。
【００２５】
圧力センサ３２は、静電容量型の圧力センサであり、エアチューブ３１を介して検出するカフ圧に応じて容量値が変化する。発振回路３３は、圧力センサ３２に接続されて、圧力センサ３２の容量値に基づき発振する。これにより、発振回路３３は、圧力センサ３２の容量値に応じた周波数を有する信号（以下、周波数信号という）を出力する。出力した周波数信号はＣＰＵ１００に与えられる。ＣＰＵ１００は、発振回路３３から入力する周波数信号を圧力に変換することによって、圧力を検知する。
【００２６】
ここで、圧力センサ３２の０ｍｍＨｇ調整とは、カフ２０にエアチューブ３１により圧力を何ら加えない、またカフ２０の外部からも大気圧を除いては何ら圧力を加えない、いわゆる無加圧状態における圧力センサ３２からの出力信号に基づいた圧力を検出する動作を指す。
【００２７】
図４には、電子血圧計１の機能構成が示される。図４を参照し、ＣＰＵ１００は、血圧の指標を決定する指標決定部１１０、圧力調整部１１１、ゼロ点更新部１１３、ゼロ点更新部１１３を起動するための起動部１１５、ゼロ点更新に関するタイミング時間を決定する時間決定部１１６を備える。さらに、メモリ４３をアクセスするためのアクセス部１３０、および表示部４０にデータ表示するための表示処理部１３１を備える。
【００２８】
指標決定部１１０は、血圧の指標とし血圧値、高血圧の有無などを取得する。血圧値および脈拍数を算出するために血圧算出部１１２を含む。血圧算出部１１２は、発振回路３３からの周波数信号を用いて収縮期血圧（最高血圧）および拡張期血圧（最低血圧）を算出し、脈拍数を算出する。
【００２９】
圧力調整部１１１はポンプ駆動回路５３および弁駆動回路５４を介してポンプ５１および弁５２を制御し、エアチューブ３１を介して空気袋２１内に空気を流入・排出することにより、カフ圧を調整する。ここでは、圧力センサ３２、ポンプ５１および弁５２を含む構成をエア系という。
【００３０】
血圧算出部１１２は発振回路３３から入力する周波数信号（この周波数信号は圧力情報信号を指示する）に基づき脈波振幅情報を検出し、検出した脈波振幅情報に基づきオシロメトリック法に従い収縮期血圧および拡張期血圧を算出し、ならびに検出した脈波振幅情報に基づき所定時間当たりの脈拍数を算出する。具体的には、圧力調整部１１１によりカフ圧を所定値まで徐々に加圧（または減圧）させる過程において、発振回路３３から入力するカフ圧に基づいて脈波振幅情報を検出し、検出した脈波振幅情報に基づき被測定者の収縮期血圧および拡張期血圧を算出する。血圧算出部１１２によるオシロメトリック法に従う血圧の算出および脈拍の算出は、従来から知られている方法を適用できるので詳細は略す。
【００３１】
ゼロ点更新部１１３は、発振回路３３から周波数信号を入力し、入力した信号を解析処理することにより、ゼロ点を検出するゼロ点検出部１１４を含む。ゼロ点の検出については後述する。
【００３２】
アクセス部１３０はメモリ４３からデータを読出し、またはメモリ４３にデータ書込む（格納する）機能を有する。具体的には、指標決定部１１０からの出力データを入力し、入力したデータ（血圧測定データ）をメモリ４３の所定記憶領域に格納する。さらに、ゼロ点更新部１１３からの出力データであるゼロ点を入力し、入力したデータをメモリ４３の所定記憶領域に格納する。またアクセス部１３０は、操作部４１のメモリスイッチ４１Ｄの操作に基づきメモリ４３の所定記憶領域から測定データを読出し表示処理部１３１に出力する。他の各部は、アクセス部１３０を介してメモリ４３のデータを読み書きする。
【００３３】
表示処理部１３１は、与えられるデータを入力し、入力データを表示可能な形式に変換して表示部４０に表示する。
【００３４】
時間決定部１１６は、被測定者に関する情報であって、０ｍｍＨｇ調整の開始時間および電源スイッチ４１Ａの操作により被測定者が電源遮断の指示を行った後もゼロ点を更新し続ける時間を決定するための情報を受理する情報取得部１１７、０ｍｍＨｇ調整の開始時間を決定する開始時間決定部１１８、および電源スイッチ４１Ａの操作により被測定者が電源遮断の指示を行った後もゼロ点を更新し続けるべき時間の長さ（期間）を決定する保持期間決定部１１９を含む。
【００３５】
なお、情報取得部１１７は、被測定者に関する情報を、外部１／Ｆ６１を介してメモリカード６２から読出すことにより取得し、または、通信Ｉ／Ｆ６０を介して外部の装置から送信される情報を受理することで取得する。
【００３６】
なお、図４ではＣＰＵ１００の周辺回路について、ＣＰＵ１００と直接に入出力する部分のみを示す。
【００３７】
（メモリの内容）
図５にはメモリ４３に格納されるデータの一例が示される。メモリ４３には、ゼロ点４３１、開始時間決定部１１８および保持期間決定部１１９によって決定された時間データ４３２、および被測定者毎の測定データ４３３が格納される。これらデータを格納するための領域は不揮発性メモリで構成される。
【００３８】
時間データ４３２は、電子血圧計１を使用する被測定者のそれぞれについて、被測定者を識別するためのＩＤ（Identifier）４４２、０ｍｍＨｇ調整を開始するべき時間（開始時刻）４５２、および電源スイッチ４１Ａの操作により被測定者が電源遮断の指示を行った後もゼロ点を更新し続けるべき時間の長さを指す保持時間４６２のデータを含む。
【００３９】
測定データ４３３は、対応の被測定者について、血圧測定が実施される毎にレコード単位でデータが格納される。各レコードのデータは、被測定者を識別するためのＩＤ４４３、血圧測定の日時（年，月，日，時間（時，分）および曜日）を指す測定日時４５３、使用者情報４６３、血圧値・脈拍数４７３および血圧値が高血圧に該当するか否かを指すフラグ４８３のデータを含む。ここでは、測定日時４５３は、血圧測定開始（測定スイッチ４１Ｂが操作された）時点のタイマ４５の時間データを指す。
【００４０】
（０ｍｍＨｇ調整について）
本実施の形態では、圧力センサ３２の０ｍｍＨｇ調整のための所定条件データ（データＭ０とＭ３００）は、電子血圧計１の工場出荷時などにおいて予め取得されて、メモリ４３に格納される。この所定条件データの取得手順について説明する。
【００４１】
具体的には、データＭ０とＭ３００を検出する場合には、電子血圧計１にはカフ２０の代わりに外部からの圧力印加装置が接続される。このとき、弁５２は閉鎖される。これにより、カフ２０の代わりに接続された圧力印加装置とエア系との間でエアチューブ３１を介して空気が流れる。
【００４２】
接続された圧力印加装置により、所定の圧力値（０ｍｍＨｇ、３００ｍｍＨｇ）を印加したときの圧力センサ３２の出力（本実施の形態では発振回路３３の出力信号の周波数Ｍ０，Ｍ３００を指す）を測定する。測定値はメモリ４３の所定記憶領域に格納される。なお、所定の圧力値（０ｍｍＨｇ，３００ｍｍＨｇ）は、電子血圧計１では０〜２９９ｍｍＨｇまで血圧測定することができるように設計されていることに依拠している。この測定値はメモリ４３において書換え不可能であり、且つ消去されることはない。これにより、０ｍｍＨｇ調整のための所定条件データが取得されて、後述する図６の特性Ｌ１の直線式を検出することができる。その後、弁駆動回路５４が弁５２を開き、エア系に充填された空気は急速に排気される。
【００４３】
被測定者の血圧測定時には、血圧算出部１１２は、データＭ０，Ｍ３００を用いて、圧力値Ｐ（ｍｍＨｇ）を（式１）に従って算出する。算出した圧力値Ｐはカフ圧に相当する。
【００４４】
圧力値Ｐ＝｛（ｆ−Ｕ０）÷（Ｍ３００−Ｍ０）｝×３００ （式１）
なお、（式１）では、変数Ｕ０は、圧力センサ３２の初期化時の出力値を指し、変数ｆは、測定時の発振回路３３からの出力信号の周波数を指す。以下、変数Ｕ０は出力値Ｕ０と称し、変数ｆは周波数のデータｆと称する。
【００４５】
上述の（式１）に従う圧力値Ｐの算出について図６の圧力センサ３２の特性のグラフを参照して、さらに説明する。図６のグラフは、横軸にカフ圧を示す圧力（ｍｍＨｇ）が取られ、縦軸に発振回路３３の出力信号の周波数（Ｈｚ）が取られている。図６では、電子血圧計１の製造時の圧力センサ３２の特性Ｌ１と、血圧測定時（現在）の圧力センサ３２の特性Ｌ２とが示される。
【００４６】
もし、製造時の圧力センサ３２の特性Ｌ１と、現在の圧力センサの特性Ｌ２とが同一であれば、圧力値Ｐ＝（ｆ−Ｍ０）／（Ｍ３００−Ｍ０）×３００ （式２）が成立するが、実際には、圧力センサ３２の特性は、使用状況などさまざまな要因により、製造時の特性Ｌ１を維持することはできず、特性Ｌ１はたとえば現在の特性Ｌ２に変化する。したがって、この特性変化に伴い生じた、圧力センサ３２の初期化時の出力値Ｕ０を用いて、（式２）は（式１）に書換えられる。
【００４７】
このように出力値Ｕ０を検出して、（式１）を求める手続きを０ｍｍＨｇ調整という。ここでは、ゼロ点検出部１１４により出力値Ｕ０が検出される。検出された出力値Ｕ０はゼロ点４３１として、ゼロ点更新部１１３によりメモリ４３に格納される。
【００４８】
（ゼロ点の検出）
ゼロ点検出部１１４は、出力値Ｕ０を検出する際に、圧力センサ３２を初期化する。
【００４９】
初期化時には圧力調整部１１１は、弁駆動回路５４を介して弁５２を開放状態とするとともに、ポンプ駆動回路５３を介してポンプを停止状態とする。これにより、圧力センサ３２、ポンプ５１、弁５２、空気袋２１、および、エアチューブ３１は大気圧開放状態となっている。この初期化時に、ゼロ点検出部１１４は、発振回路３３からの周波数信号のデータｆ０（図６の出力値Ｕ０に相当する）を検出する。ゼロ点更新部１１３は、検出されたデータｆ０をゼロ点４３１としてメモリ４３に格納する。これにより、メモリ４３のゼロ点４３１が更新される。
【００５０】
なお、本実施例では、使用状況などさまざまな要因により変化する圧力センサの特性を０ｍｍＨｇ（すなわち、大気圧開放時）に検出されるゼロ点のみがオフセットされるものとしたが、特性Ｌ２の傾きも合わせて変化することも想定される。この場合、特性Ｌ２の傾きと特性Ｌ１の傾きの違いはゼロ点のオフセット量（すなわち、Ｕ０−Ｍ０）に相関することが知られているので、次式（３）のようにして圧力値Ｐを算出すればよい。
【００５１】
圧力値Ｐ＝［（ｆ−Ｕ０）÷｛（Ｍ３００−Ｍ０）×（Ｕ０−Ｍ０）×α｝］×３００ （式３）
ここでαはあらかじめ実験等で定められる定数である。
【００５２】
（０ｍｍＨｇ調整開始時間の決定処理）
図７に、０ｍｍＨｇ調整の開始時間を決定するための手順を示す。ここでは、メモリカード６２には、各被測定者のＩＤ毎に、当該被測定者の血圧測定時間に関する情報が格納されている。具体的には、毎日の服薬時間、食事時間、起床・就寝時間、医師が指定した時間等、血圧測定する時間のデータを指す。
【００５３】
図７を参照して、まず、情報取得部１１７は、各被測定者の血圧測定時間に関する情報を外部Ｉ／Ｆ６１を介してメモリカード６２から入力する（ステップＳＴ１０１）。
【００５４】
開始時間決定部１１８は、各被測定者について、入力された時間のデータをパターン分けする。たとえば、複数種類の時間（服薬時間、食事時間、起床・就寝時間、医師が指定した時間など）毎に分類する（ＳＴ１０２）。そして、各被測定者について、パターン分けした各時間に基づき０ｍｍＨｇ調整の開始時間と決定する（ＳＴ１０３）。たとえば、起床時間の後を０ｍｍＨｇ調整の開始時間と決定し、就寝時間の前を０ｍｍＨｇ調整の開始時間と決定する。
【００５５】
開始時間決定部１１８は、入力された被測定者のＩＤ、および、当該被測定者について決定した０ｍｍＨｇ調整開始時間を、ＩＤ４４２および開始時間４５２として対応付けて時間データ４３２としてメモリ４３に格納する（ＳＴ１０４）。
【００５６】
ここでは、被測定者に関する情報は、メモリカード６２から入力するとしたが、入力先は限定されるものではなく、たとえば、開始時間決定部１１８は、情報を入力することを促す報知を行い、報知に応じて被測定者が操作部４１から入力するようにしてもよい。
【００５７】
（０ｍｍＨｇ調整開始時間の最適化）
図７では、被測定者によって入力される生活パターンによる血圧測定時間の情報を用いて０ｍｍＨｇ調整の開始時間を決定したが、図８に示すように、メモリ４３に格納されている測定データ４３３から決定するようにしてもよい。
【００５８】
つまり、血圧測定のイベントとなり得る起床時間、就寝時間、食事時間、運動時間などの生活パターンは被測定者によって異なるが、個人単位では、ほぼ固定された生活パターンとなる。そこで、各被測定者の測定データ４３３から、血圧測定のイベントとなり得る時間を抽出する。つまり、同じような測定日時の血圧測定のデータが複数件格納されていれば、その日時が血圧測定のイベント発生時間であり、血圧測定時間であると特定することができる。したがって、特定された血圧測定時間の所定時間前（たとえば１分前）を０ｍｍＨｇ調整の開始時間と決定することで、血圧測定時の０ｍｍＨｇ調整の待ち時間を排除できて、被測定者はストレスを与えられることなく血圧を測定できる。また、その後の血圧算出のために最新のゼロ点４３１を取得しておくことができる。
【００５９】
図８を参照して、開始時間決定部１１８による０ｍｍＨｇ調整の開始時間を決定する他の手順について説明する。処理が開始されると、まず、情報取得部１１７は、メモリ４３から測定データ４３３を読出す（ＳＴ２０１）。開始時間決定部１１８は、各被測定者の測定データ４３３から測定日時４５３を抽出し、抽出した測定日時４５３に基づき測定時間（時：分）を分析する（ＳＴ２０３）。そして、分析結果に基づき、０ｍｍＨｇ調整の開始時間を決定する（ＳＴ２０４）。
【００６０】
たとえば、分析の結果、同じような測定時間の測定データが所定件数以上格納されていると判定した場合には、当該測定時間を血圧測定のイベントとなり得る時間として決定し、決定した当該測定時間の１分前を０ｍｍＨｇ調整の開始時間と決定する。
【００６１】
開始時間決定部１１８は、測定データ４３３から読出した被測定者のＩＤ４４３、および、決定された０ｍｍＨｇ調整開始時間を、データ４４２および４５２として対応付けて時間データ４３２としてメモリ４３に格納する（ＳＴ２０５）。
【００６２】
図７と図８の処理は、開始時間決定部１１８の処理は、電子血圧計１が血圧測定、測定データの格納および表示などの処理を行っていない状態（たとえば、待機状態または電源スイッチ４１ＡがＯＦＦされている状態など）で実行されると想定する。
【００６３】
（０ｍｍＨｇ調整保持時間の決定）
電源スイッチ４１Ａにより電子血圧計１の電源ＯＦＦの指示が入力された後も、一定期間は０ｍｍＨｇ調整を所定時間間隔で行い、随時ゼロ点を更新し続けることが望ましい。ここでは、ゼロ点を更新し続ける一定期間を０ｍｍＨｇ調整保持時間と称する。
【００６４】
つまり、被測定者は服薬時間、食事時間、起床・就寝時間、医師が指定した時間などのイベントによっては、複数回連続的に血圧を測定すること場合がある。前回の血圧測定から所定時間内（たとえば、３分以内）に次の測定があれば、それは同一イベント時に複数回測定したと判断することができる。このように連続して血圧測定が行われる期間内に、例えば図１（Ａ）の電子血圧計１においてはオートパワーオフ（一定期間血圧計の操作がされないことで、電子血圧計１の電源が自動で遮断されること）により電源が遮断されたり、図１（Ｂ）の電子血圧計１においては電源スイッチ４１Ａと測定開始スイッチ４１Ｂが兼用となっているため測定の都度電源を遮断する必要があり、被測定者はその都度電源を投入し、圧力センサ調整が完了するのを待たなければならない。このような不都合を解消するために本実施の形態に係る電子血圧計１は次のように動作する。
【００６５】
本実施の形態では、保持期間決定部１１９は、各被測定者は、イベントごとに何回測定する傾向にあるかを判定し、判定結果に基づき０ｍｍＨｇ調整保持時間を決定する。０ｍｍＨｇ調整保持時間は、複数回の測定が終了するまで、または複数回測定に相当する時間が経過するまでは、電源スイッチ４１Ａにより電子血圧計１に電源ＯＦＦの指示が入力された場合、表示部４０への電源供給は遮断するが、ＣＰＵ１００、圧力センサ３２、発振回路３３などの圧力センサ３２の０ｍｍＨｇ調整に必要な箇所への電源供給は継続し、０ｍｍＨｇ調整を所定時間間隔で行いゼロ点を更新し続ける時間を指す。図９のフローチャートを参照して、保持期間決定部１１９による０ｍｍＨｇ調整保持時間の決定処理を説明する。
【００６６】
図９を参照して、保持期間決定部１１９は、血圧測定が終了して所定時間が経過すると、すなわち連続した血圧測定が終了したと判定し得る所定時間が経過したことを判定すると（ＳＴ３０１）、０ｍｍＨｇ調整保持時間を決定する処理に移行する。
【００６７】
まず、メモリ４３から、被測定者の測定データ４３３から、直前に測定された所定回数分の測定データのレコードを読出す。読出した複数個のレコードの測定データを分析する（ＳＴ３０２）。分析により、一定時間内の測定回数、および一定回数分の測定に要した時間などを取得する。
【００６８】
分析の結果に基づき取得した一定時間内の測定回数、および一定回数の測定に要した時間を０ｍｍＨｇ調整保持時間と決定する（ＳＴ３０３）。
【００６９】
測定データ４３３から読出したＩＤ４４３、および、決定された０ｍｍＨｇ調整保持時間を、ＩＤ４４２および保持時間４６２として対応付けて時間データ４３２としてメモリ４３に格納し（ＳＴ３０４）、処理を終了する。
【００７０】
図９の０ｍｍＨｇ調整保持時間の決定手順は、連続した血圧測定が終了する毎に行うとしているが、血圧測定処理とは無関係に、メモリ４３に格納された測定データ４４３に基づき決定するとしてもよい。
【００７１】
図１０を参照して、情報取得部１１７は、メモリ４３から測定データ４３３を読出し（ＳＴ４０１）、保持期間決定部１１９は読出された各被測定者の測定データ４３３から、測定日時４５３を抽出する（ＳＴ４０２）。
【００７２】
各被測定者について０ｍｍＨｇ調整保持時間を決定する。つまり、当該被測定者の測定データ４４３から抽出した測定日時４５３に基づき、所定間隔で血圧測定が所定回数連続的に実施された期間を抽出し、抽出した各期間について時間の長さを検出する（ＳＴ４０３）。そして、各期間の時間長さから代表値を算出し、０ｍｍＨｇ調整保持時間として決定する（ＳＴ４０４）。または、一定期間内に連続測定された回数の代表値を、０ｍｍＨｇ調整保持時間として決定する。代表値は、平均値、最頻値、中央値などである。
【００７３】
保持期間決定部１１９は、測定データ４３３からのＩＤ４４３、および、決定された０ｍｍＨｇ調整保持時間を、ＩＤ４４２および保持時間４６２と対応付けて時間データ４３２としてメモリ４３に格納する（ＳＴ４０５）。
【００７４】
図９と図１０の処理は、電子血圧計１において血圧測定などの処理を行っていない状態（たとえば、待機状態または電源ＯＦＦ状態など）で実行されると想定する。
【００７５】
このように、被測定者毎に、測定データ４３３から０ｍｍＨｇ調整保持時間を決定することができる。
【００７６】
上述した開始時間決定部１１８および保持期間決定部１１９による処理の開始タイミングは次のように決定してもよい。
【００７７】
たとえば、開始時間決定部１１８または保持期間決定部１１９による処理を実施した日付を記録しておき、直前の実施日から所定の日数が経過したと判定されたとき、または、前回の処理を実施した以後に新たに格納された測定データ４３３のレコード件数が所定数に達した時に自動的に処理が実行されるとしてもよい。
【００７８】
または、自動的な実行開始に代替して、開始時間決定部１１８または保持期間決定部１１９による処理が実行可能な時期になったことを、表示部４０を用いて被測定者に報知するようにしてもよい。そして、被測定者が操作部４１の所定スイッチを操作したときに、開始時間決定部１１８または保持期間決定部１１９による処理が開始されるとしてもよい。
【００７９】
（０ｍｍＨｇ調整の開始処理）
ここでは図１（Ｂ）で示される、電源スイッチ４１Ａと測定開始スイッチ４１Ｂが兼用となっている電子血圧計１でその動作を説明する。なお、図１（Ｂ）で示される電子血圧計１においては、使用者選択スイッチはスライドスイッチのように、機構的に使用者選択が可能なスイッチとなっており、血圧計の電源が投入されたと同時にそのスイッチの状態を読み込むことで使用者が決定される。
【００８０】
図１１のフローチャートに示すように、開始時間決定部１１８または保持期間決定部１１９により決定された時間に基づき、０ｍｍＨｇ調整が開始される。
【００８１】
起動部１１５は、ＣＰＵ１００が、血圧測定処理など他の処理を行っている期間を除く期間において、図１１の手順に従ってゼロ点更新部１１３を起動するか否かを判定し、判定結果に基づきゼロ点更新部１１３を起動する。
【００８２】
図１１を参照して、起動部１１５は、メモリ４３の時間データ４３２中の開始時間４５２それぞれと、タイマ４５から入力する現在時間データとを比較する。そして、比較結果に基づき現在は０ｍｍＨｇ調整の開始時間であるか否かを判定する（Ｓ１）。
【００８３】
開始時間４５２のいずれもタイマ４５から入力する時間データと一致しないと判定する間は（Ｓ１でＮＯ）、ステップＳ９の処理に移行する。開始時間４５２のいずれかとタイマ４５から入力する時間データとが一致すると判定すると（Ｓ１でＹＥＳ）、ステップＳ５の処理に移行する。
【００８４】
起動部１１５はゼロ点更新部１１３を起動する。起動されたゼロ点更新部１１３により０ｍｍＨｇ調整が行われて（Ｓ５）、取得されたゼロ点はメモリ４３にゼロ点４３１として格納される（Ｓ７）。これにより、メモリ４３のゼロ点４３１は、新たに取得されたゼロ点によって上書きされて、更新される。
【００８５】
その後、ＣＰＵ１００は、操作部４１からの入力信号に基づき、電源スイッチ４１Ａが操作されたか否か、すなわち血圧測定開始の指示が入力されたか否かを判定する（Ｓ９）。
【００８６】
電源スイッチ４１Ａが操作されたと判定すると（Ｓ９でＹＥＳ）、後述する血圧測定処理に移行するが、操作されないと判定すると、処理はＳ１に戻り、以降の処理が同様に繰返される。
【００８７】
（血圧測定処理）
図１２を参照して、血圧測定処理について説明する。
【００８８】
上述のように電源スイッチ４１Ａが操作（Ｓ９でＹＥＳ）されて血圧測定開始の指示が入力されると血圧測定処理のための初期化処理が行われる（ＳＴ１）。たとえば、ＣＰＵ１００によってメモリ４３の作業用領域が初期化される。
【００８９】
次に、被測定者が電源スイッチ４１Ａを操作する前に、使用者選択スイッチ４１Ｆを操作することで特定された使用者を特定する情報を入力する（ＳＴ２）。時間決定部１１６は、使用者の特定情報に基づき、メモリ４３の時間データ４３２を検索する。検索結果に基づき、当該特定情報に一致するＩＤ４４２に対応の保持時間４６２を読出す（ＳＴ３）。
【００９０】
次にＣＰＵ１００は、圧力調整部１１１は、弁駆動回路５４を介して弁５２を閉じるように制御し、ポンプ駆動回路５３を介してポンプ５１を、カフ圧が所定圧まで加圧されるように制御する（ＳＴ５，ＳＴ６）。
【００９１】
カフ圧が所定圧まで徐々に加圧される過程において、指標決定部１１０は発振回路３３の出力信号に基づき、カフ圧を（式１）に基づきゼロ点４３１を用いて検出する。検出したカフ圧を所定圧と比較する（ＳＴ６）。比較結果に基づき、（カフ圧＜所定圧）の条件が成立する間は加圧（ＳＴ５）が継続するが、（カフ圧≧所定圧）の条件が成立すると判定されると（ＳＴ６で“≧所定圧”）、圧力調整部１１１はポンプ駆動回路５３を介してポンプ５１を停止し、その後、カフ圧が徐々に減圧されるように、弁駆動回路５４を介して弁５２を徐々に開く（ＳＴ７）。
【００９２】
血圧算出部１１２は、減圧過程に得られるカフ圧に重畳した動脈の容積変化に伴う振動成分を抽出し、所定の演算により血圧を算出する（ＳＴ８）。血圧の算出は、メモリ４３のゼロ点４３１を用いた（式１）に基づき算出されるカフ圧を用いる。
【００９３】
血圧の算出により収縮期血圧および拡張期血圧が算出されると（ＳＴ９でＹＥＳ）、弁５２を開放しカフ２０内の空気を排気する。また、血圧値の算出とともに、脈拍数が算出される。
【００９４】
算出された血圧値・脈拍数は、タイマ４５から入力した計時データに基づく測定日時とともに、表示処理部１３１によって表示部４０に表示される（ＳＴ１０）。
【００９５】
また、指標決定部１１０は、算出された収縮期血圧値を、高血圧の基準血圧と比較し、比較結果に基づき高血圧に該当するか否かの判定をする。そして、アクセス部１３０を介して、メモリ４３に、使用者の特定情報、測定日時、血圧値・脈拍数および高血圧判定結果を関連づけしたデータ４４３〜４８３からなるレコードを生成し、レコードを当該被測定者の測定データ４３３に格納する（ＳＴ１１）。
【００９６】
その後、ＣＰＵ１００は、操作部４１からの入力信号に基づき、電源スイッチ４１Ａが操作（押下）されるか否かを判定する（ＳＴ１２）。電源スイッチ４１Ａが操作されたと判定すると（ＳＴ１２でＹＥＳ）、時間決定部１１６は、ＳＴ３で読み出した保持時間４６２が示す時間期間が経過したか否かを判定する（ＳＴ１３）。
【００９７】
経過していないと判定すると（ＳＴ１３でＮＯ）、すなわち連続して血圧測定が行われる期間内であると判定すると、ＣＰＵ１００は、表示部４０のみ電源を遮断し（ＳＴ１５）、操作部４１からの入力信号に基づき、電源スイッチ４１Ａが操作（押下）されるか否かを判定する（ＳＴ１６）。
【００９８】
電源スイッチ４１Ａが操作されたと判定すると（ＳＴ１６でＹＥＳ）、処理はＳＴ１に戻り、次の血圧測定処理が開始されるが、操作されないと判定されると（ＳＴ１６でＮＯ）、圧力センサ３２の調整が実施される（ＳＴ１７）。その後、処理はＳＴ１３に戻り、ＳＴ１３以降の処理が同様に繰返される。
【００９９】
一方、電源スイッチ４１Ａが操作されていないと判定される（ＳＴ１２でＮＯ）としても、所定時間間隔で圧力センサ３２の調整が実施される（ＳＴ１４）。
【０１００】
図１２の処理によれば、電源スイッチ４１Ａにより電子血圧計１の電源ＯＦＦの指示が入力された後も、保持時間４６２が示す時間期間においては、ゼロ点４３１は更新されつづける。つまり、図１３に示すように、イベント毎に開始時間決定部１１８により、複数回の血圧測定が終了するまでの期間は、電源スイッチ４１Ａにより電子血圧計１に対して電源ＯＦＦの指示が入力された後もゼロ点４３１が更新されつづける。
【０１０１】
このように、ゼロ点更新部１１３は電源スイッチ４１Ａにより電子血圧計１に対して電源ＯＦＦの指示が入力された後もゼロ点４３１を更新しつづけるため、複数回血圧測定を行う際、電源スイッチ４１Ａを投入するたびに圧力センサ３２の調整完了を待機する必要がなくなる。
【０１０２】
また、圧力センサ３２は大気圧との相対圧を検出するものであるが、電子血圧計１に対して電源ＯＦＦの指示が入力された後もゼロ点４３１が更新されつづけることから、測定環境下の大気圧の変化があったとしても正確な相対圧の検出が可能となる。
【０１０３】
また、ゼロ点４３１を更新した後に、次回更新までの間隔（インターバル）を、少なくとも保持時間４６２の長さだけは確保できるようにして、可変に変更することができる。
【０１０４】
上述の実施の形態では、０ｍｍＨｇ調整開始時間と０ｍｍＨｇ調整保持時間とを組合わせた処理としているが、一方の時間のみを参照した処理としてもよい。つまり、開始時間決定部１１８が決定した０ｍｍＨｇ調整開始時間にのみ基づいて０ｍｍＨｇ調整を行うようにして保持時間は考慮しないとしてもよい。また、０ｍｍＨｇ調整開始は所定時刻に行われるとして、保持期間決定部１１９が決定した保持時間内は０ｍｍＨｇ調整がされつづけるとしてもよい。電子血圧計１を両時間を組合わせて制御するか、一方のみの時間を参照して制御するかは、操作部４１の操作によって切替え可能としてもよい。
【０１０５】
（システム構成）
上述の実施の形態では、電子血圧計１により０ｍｍＨｇ調整の開始時間および保持時間を決定するとしたが、図１４のシステムを構成することにより、外部の情報処理装置がこれら時間を決定して、決定された時間のデータを電子血圧計１宛てに送信するようにしてもよい。
【０１０６】
図１４を参照して、本実施の形態に係るシステムは、被測定者が使用する電子血圧計１、電子血圧計１と通信するホストコンピュータ２２０、および両者間を通信によって接続するための有線または無線のネットワークＮＴを含む。
【０１０７】
ここでは、電子血圧計１はホストコンピュータ２２０と直接に通信するとしているが、携帯電話、ＰＤＡ（personal  digital  assistant）、パソコン（パーソナルコンピュータの略）などを通信の中継装置として利用して、電子血圧計１は、これら中継装置を介してホストコンピュータ２２０と通信するようにしてもよい。なお、ネットワークＮＴに代替して、記録媒体を介して情報を授受するようにしてもよい。
【０１０８】
図１５には、ホストコンピュータ２２０のハードウェア構成が示される。ホストコンピュータ２２０は、全体の制御をするためのＣＰＵ（Central  Processing  Unit）３０１、予めプログラムやデータが格納されるＲＯＭ（Read  Only  Memory）３０２、各種データを格納するＲＡＭ（Random  Access  Memory）３０３、タイマ３０４、ハードディスク３０６、ネットワークＮＴとホストコンピュータ２２０を接続するための通信Ｉ／Ｆ（Interface）３０７、出力部３０５、入力部３０８およびメモリカード３１０が着脱自在に装着されて、装着されたメモリカード３１０からデータを読出し、またはメモリカード３１０にデータを書込むための外部Ｉ／Ｆ（Interface）３０９を備える。
【０１０９】
出力部３０５は、表示部、印刷部、音声出力部などを含む。入力部３０８は、キーボード、マウスなどのポインティングデバイスなどを含む。外部Ｉ／Ｆ３０９に装着される記録媒体はカード状のものに限定されるものではない。
【０１１０】
図１６のフローチャートを参照して、本システムでの０ｍｍＨｇ調整時間の決定に係る手順を説明する。
【０１１１】
まず、被測定者は、電子血圧計１をネットワークＮＴに接続し、操作部４１を操作して０ｍｍＨｇ調整時間の最適化の指示を入力する。
【０１１２】
指示が入力されると、ＣＰＵ１００は、メモリ４３から当該被測定者に対応する測定データ４３３を読出し（ＳＴ５０１）、通信Ｉ／Ｆ６０を介してホストコンピュータ２２０宛てに送信する（ＳＴ５０３）。
【０１１３】
ホストコンピュータ２２０のＣＰＵ３０１は通信Ｉ／Ｆ３０７を介して測定データ４３３を受信する（ＳＴ５１０）。
【０１１４】
ＣＰＵ３０１は、受信した測定データ４３３に基づき、０ｍｍＨｇ調整開始時間を決定する（ＳＴ５１２〜ＳＴ５１８）。この処理は図８で説明した手順と同様であるので、詳細は略す。
【０１１５】
ＣＰＵ３０１は、決定した０ｍｍＨｇ調整開始時間のデータを通信Ｉ／Ｆ３０７を介して電子血圧計１宛てに送信する(ＳＴ５２０)。
【０１１６】
電子血圧計１のＣＰＵ００は、通信Ｉ／Ｆ６０を介して、０ｍｍＨｇ調整開始時間のデータを受信し（ＳＴ５０５）、受信したデータを、メモリ４３の時間データ４３２に当該被測定者の開始時間４５２として格納する（ＳＴ５０６）。その後、処理を終了する。
【０１１７】
ここでは、０ｍｍＨｇ調整開始時間の決定を説明したが、０ｍｍＨｇ調整保持時間の決定についても同様にしてホストコンピュータ２２０が図１０に説明した手順を用いて決定し、電子血圧計１に送信することができる。
【０１１８】
（プログラム）
本実施の形態に係る各フローチャートに従う方法は、プログラムとして提供することもできる。このようなプログラムは、ＣＰＵ１００またはホストコンピュータ２２０に付属する図示のないフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、ホストコンピュータ２２０に内蔵するハードディスク３０６などの記録媒体にて記録させて、プログラムを提供することもできる。また、ネットワークＮＴを介したダウンロードによって、プログラムを提供することもできる。
【０１１９】
たとえば、図３の構成では、ＣＰＵ１００を備えてコンピュータの機能を有する電子血圧計１には、メモリカード６２などの各種記録媒体を用いて当該プログラムを供給することができる。ＣＰＵ１００は、外部Ｉ／Ｆ６１を介して当該記録媒体に格納されたプログラムを読出し、実行する。また、図１５の構成では、ホストコンピュータ２２０には、メモリカード３１０などの記録媒体を用いて当該プログラムを供給することができる。ＣＰＵ３０１は外部Ｉ／Ｆ３０９を介して記録媒体に格納されたプログラムを読出し、実行する。
【０１２０】
提供されるプログラム製品は、ハードディスク３０６などのプログラム格納部にインストールされてＣＰＵ３０１により読出されて実行される。なお、プログラム製品は、プログラム自体と、プログラムが記録された記録媒体とを含む。
【０１２１】
（変形例）
本実施の形態は、勤務時間が不規則であるシフトワーカーなどに対応するように変形することができる。たとえば、勤務時間に合わせて被測定者がシフト時間を入力すると、０ｍｍＨｇ調整開始時間および保持時間をシフト時間を用いて変更するようにしてよい。
【０１２２】
また、休日の生活パターンは平日とは相違することに着目して、休日の測定データに基づき、休日用の０ｍｍＨｇ調整開始時間および保持時間を決定するようにしてもよい。
【０１２３】
また、０ｍｍＨｇ調整保持時間が５分と設定されており、その間に測定がなかったら、さらに保持時間を延長するとしてもよい。
【０１２４】
また、季節の変動により生活パターンが変わる場合もある。そこで、周囲の照度、気温変化を検出しておき、その変化があれば、時間決定部１１６による０ｍｍＨｇ調整の開始時間４５２および保持時間４６２を算出しなおすとしてもよい。
【０１２５】
本実施の形態では、電子血圧計１は机上に据え置くタイプであったが、手首装着タイプであってもよい。
【０１２６】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、上記した各実施の形態は、可能な限り組み合わされて実現されることが意図される。
【符号の説明】
【０１２７】
１  電子血圧計、１１０  指標決定部、１１１  圧力調整部、１１２  血圧算出部、１１３  ゼロ点更新部、１１４  ゼロ点検出部、１１５  起動部、１１６  時間決定部、１１７  情報取得部、１１８  開始時間決定部、１１９  保持期間決定部、１３０  アクセス部、１３１  表示処理部、２２０  ホストコンピュータ。
【図１】
2012213444.tif 000003
【図２】
2012213444.tif 000004
【図３】
2012213444.tif 000005
【図４】
2012213444.tif 000006
【図５】
2012213444.tif 000007
【図６】
2012213444.tif 000008
【図７】
2012213444.tif 000009
【図８】
2012213444.tif 000010
【図９】
2012213444.tif 000011
【図１０】
2012213444.tif 000012
【図１１】
2012213444.tif 000013
【図１２】
2012213444.tif 000014
【図１３】
2012213444.tif 000015
【図１４】
2012213444.tif 000016
【図１５】
2012213444.tif 000017
【図１６】
2012213444.tif 000018